(57)【要約】【課題】上面に形成した排水溝を排水性及び乾燥性を確保すると共に防汚性に優れたものとし、床パンの排水溝の内面に水が残ったり、排水溝に汚れが溜まったりすることを防止でき、且つ排水溝の幅、深さ、排水溝間の突部の大きさ等のデザイン上の制約を緩和することができる床パンを提供する。【解決手段】床パン１の上面に排水溝２を形成する。排水溝２の内面に凹凸の平均間隔Ｓｍが５０乃至７００μｍとなると共に十点平均粗さＲｚが２０乃至６０μｍとなる凹凸を形成してその凸部分を大突起４とする。大突起４の表面に、該表面の５μｍ四方の測定範囲の任意の１０箇所をレーザー顕微鏡で横縦（Ｘ−Ｙ）方向の分解能を０．０４４μｍ及び高さ（Ｚ）方向の分解能を０．０１μｍに設定して測定した時に測定箇所の平面視の面積に対する表面積の比が１．２以上２．０以下となる小突起５を形成する。【選択図】図１
2008106554.tif 000002
【特許請求の範囲】
【請求項１】
鏡面における水の接触角が７５度以上９０度未満の材料からなる床パンの上面に排水溝を形成し、排水溝の内面に凹凸の平均間隔Ｓｍが５０乃至７００μｍとなると共に十点平均粗さＲｚが２０乃至６０μｍとなる凹凸を形成してその凸部分を大突起とし、前記大突起の表面に、該表面の５μｍ四方の測定範囲の任意の１０箇所をレーザー顕微鏡で横縦（Ｘ−Ｙ）方向の分解能を０．０４４μｍ及び高さ（Ｚ）方向の分解能を０．０１μｍに設定して測定した時に測定箇所の平面視の面積に対する表面積の比が１．２以上２．０以下となる小突起を形成して成ることを特徴とする床パン。
【請求項２】
上記床パンに多数形成した排水溝間の突部の上面にも上記大突起と小突起を形成して成ることを特徴とする請求項１に記載の床パン。
【発明の詳細な説明】
【技術分野】
【０００１】
本発明は排水溝を形成した床パンに関する。
【背景技術】
【０００２】
従来の浴室の洗い場を構成する床パンとしては床面となる上面に格子状等の排水溝を形成したものがあり、このものは排水溝を利用して床パン上の水が床パンに形成した排水口にスムーズに流れるようにしている。
【０００３】
ここで一般的な床パンはＦＲＰ等が用いられるが、これらＦＲＰ等は親水性が低い材料である。親水性が低い材料とは、鏡面すなわち平坦な表面における水の接触角が６０度以上（例えば架飾繊維質シートでは６０度〜７５度、ＦＲＰでは７５度〜９０度）と大きい材料で、特に７５度以上９０度未満の材料のことである。このため床パンの上面や排水溝の内面に水が残りやすく、この残った水は接触角が大きいため広がらずに盛り上がって表面積が小さくて乾燥性が悪いものであり、また、排水溝には汚れ（石鹸カス、ゴミ等）が溜まり易いうえに掃除がしにくくて汚れを除去し難い、という問題があった。また排水溝の幅、深さ、排水溝間の突部の大きさ等を変更すれば、排水溝の排水性能を向上することはできるが、この場合はデザイン上の制約を受ける。
【０００４】
また特許文献１や特許文献２に示す床パンでは滑り止め用の凸面間の流路に微小な凹凸を設けることで親水性を付与しているが、この排水溝は依然として排水性及び乾燥性を確保すると共に防汚性に優れたものではなかった。
【特許文献１】特開２００５−９２９６号公報
【特許文献２】特開２００４−２５１０９５号公報
【発明の開示】
【発明が解決しようとする課題】
【０００５】
本発明は上記従来の問題点に鑑みて発明したものであって、鏡面における水の接触角が７５度以上９０度未満の材料からなるものにおいて、上面に形成した排水溝を排水性及び乾燥性を確保すると共に防汚性に優れたものとし、床パンの排水溝の内面に水が残ったり、排水溝に汚れが溜まったりすることを防止でき、且つ排水溝の幅、深さ、排水溝間の突部の大きさ等のデザイン上の制約を緩和することができる床パンを提供することを課題とする。
【課題を解決するための手段】
【０００６】
上記課題を解決するために本発明に係る床パン１は、鏡面における水の接触角が７５度以上９０度未満の材料からなる床パン１の上面に排水溝２を形成し、排水溝２の内面に凹凸の平均間隔Ｓｍが５０乃至７００μｍとなると共に十点平均粗さＲｚが２０乃至６０μｍとなる凹凸を形成してその凸部分を大突起４とし、前記大突起４の表面に、該表面の５μｍ四方の測定範囲の任意の１０箇所をレーザー顕微鏡で横縦（Ｘ−Ｙ）方向の分解能を０．０４４μｍ及び高さ（Ｚ）方向の分解能を０．０１μｍに設定して測定した時に測定箇所の平面視の面積に対する表面積の比が１．２以上２．０以下となる小突起５を形成して成ることを特徴とする。
【０００７】
このように本発明では排水溝２の内面に上記のような大突起４及び小突起５を形成したので、この排水溝２においては、大きな水滴及び水膜が表面上に広がって薄い膜状となって、表面を水が流れる際に途中で途切れたりせず連続的に流れ易くて排水性が良くなると共に、表面に水滴が残った場合でも広がり面積が広いため乾燥性が良くなり、また防汚性が良くなるものである。
【０００８】
また請求項２は請求項１において、上記床パン１に多数形成した排水溝２間の突部３の上面にも上記大突起４と小突起５を形成して成ることを特徴とする。
【０００９】
上記のように床パン１の排水溝２間の突部３の上面にも上記大突起４と小突起５を形成してあるので、床面となる突部３の上面においても排水性、乾燥性、防汚性が良くなり、また突部３の上面に多数形成した大突起４が滑り止めとなる。
【発明の効果】
【００１０】
請求項１に係る発明では、排水溝の内面に上記大突起及び小突起を形成したことで、排水溝においては、大きな水滴及び水膜が表面上に広がって薄い膜状となって、表面を水が流れる際に途中で途切れたりせず連続的に流れ易くて排水性が良くなると共に、表面に水滴が残った場合でも広がり面積が広いため乾燥性が良くなり、また防汚性が良くなり、またこれにより排水溝の幅、深さ、排水溝間の突部の大きさ等のデザイン上の制約を緩和することができる。
【００１１】
また請求項２に係る発明では、請求項１に係る発明の効果に加えて、床パンの排水溝間の突部の上面にも上記大突起と小突起を形成したので、床面となる突部の上面においても排水性、乾燥性、防汚性が良くなり、また突部の上面に多数形成した大突起が滑り止めとなって滑り止め性が得られ、使用者が足を滑らせて転倒するのを防止することができる。
【発明を実施するための最良の形態】
【００１２】
以下、本発明を添付図面に示す実施形態に基づいて説明する。本発明の床パン１は浴室の洗い場を構成するものであり、ＦＲＰのような鏡面における水の接触角が７５度以上９０度未満の親水性が低い材料で形成される。水の接触角の計測は、上方を向く鏡面に滴下させた水滴を側方から観察してその角度を計測することで行った。
【００１３】
親水性が低い材料は鏡面における水の接触角が大きいため、水の体積当たりの材料表面との接触面積が小さくなり、表面上で薄膜状に広がらずに水滴状に盛り上がってしまう。このように親水性が低い材料の表面上を水が流れて排水される場合、表面上で薄膜状に広がらないため連続して流れず水滴が所々に残り易くなって排水性が悪く、また、残った水滴は接触角が大きいため盛り上がった状態となって乾燥するのに時間がかかって乾燥性が悪い。
【００１４】
そこで、親水性が低い床パン１の平坦な上面に図２及び図１に示すような所定の溝幅を有する断面略コ字状の排水溝２を平面視格子状等の所定のパターンで多数形成し、さらにこの床パン１に形成した排水溝２間の各突部３の上面、及び、各排水溝２の底面及び両側面の夫々に、図３に示すような多数の大突起４及び小突起５からなる突起を形成して水が床パン１の表面で薄膜状に広がるようにして親水性を持たせ、前記床パン１の排水溝２を含む上面の略全面に水滴が残らないようにすることで、排水性と乾燥性を確保しようとするのであるが、突起を形成し過ぎると防汚性が低下するため、本発明においては以下に示す所定の突起を形成するものである。
【００１５】
上記床パン１の表面に形成する突起は、まず、表面粗さ計による表面粗さ計測にて平均間隔Ｓｍが５０乃至７００μｍとなると共に十点平均粗さＲｚが２０乃至６０μｍとなる凹凸を形成してその凸部分を大突起４とし、且つ、前記大突起４の表面の５μｍ四方を測定範囲とし、この測定範囲の任意の１０箇所をレーザー顕微鏡で、横縦（Ｘ−Ｙ）方向の分解能を０．０４４μｍとすると共に高さ（Ｚ）方向の分解能を０．０１μｍになるように設定して測定した時に、測定箇所の平面視の面積Ｓ１に対する表面積Ｓ２の比Ｒ（＝Ｓ２／Ｓ１）が１．２≦Ｒ≦２．０となるように小突起５を形成するものである。レーザー顕微鏡による計測においては、横縦（Ｘ−Ｙ）の計測位置における高さ（Ｚ）が計測されるもので、この二次元の計測範囲における高さを計測することで表面積Ｓ２が計算される。なお平面視の面積Ｓ１は高さ一定とした時の表面積に等しい。すなわち鏡面での表面積の比Ｒ＝１となる。
【００１６】
突起の形成については、上記床パン１の突部３の上面や排水溝２の内面を形成する金型の表面にブラストを打つ方法やエッチング処理を施す方法等が挙げられる。具体的には、金型のキャビティ面となる表面にエッチング処理を施して大突起４を成形する大凹所を形成し、キャビティ面の大凹所の内面及び大凹所間の部分（即ち金型のキャビティ面の全面）にサンドブラスト処理を施して小突起５を成形する小凹所を形成し、これにより大突起４と小突起５を形成する。なお突起の形成方法は特に上記のものに限定されるものではない。
【００１７】
以上の構成によれば、床パン１の排水溝２の内面に凹凸の平均間隔Ｓｍが５０乃至７００μｍとなると共に十点平均粗さＲｚが２０乃至６０μｍとなる凹凸を形成してその突部３を大突起４とし、この大突起４の表面に、該表面の５μｍ四方の測定範囲の任意の１０箇所をレーザー顕微鏡で横縦（Ｘ−Ｙ）方向の分解能を０．０４４μｍ及び高さ（Ｚ）方向の分解能を０．０１μｍに設定して測定した時に測定箇所の平面視の面積に対する表面積の比が１．２以上となる小突起５を形成したので、排水溝２の内面は親水性を有するものとなり、従ってこの排水溝２においては、大きな水滴及び水膜が表面上に広がって薄い膜状となって、表面を水が流れる際に途中で途切れたりせず連続的に流れ易くて排水性が良くなると共に、表面に水滴が残った場合でも広がり面積が広いため乾燥性が良くなり、また表面積の比が２．０以下となる小突起５を形成したので防汚性が良くなる。またこれにより排水溝２の幅、深さ、排水溝２間の突部の大きさ等のデザイン上の制約を緩和することができる。
【００１８】
また上記床パン１の排水溝２間の突部３の上面にも上記大突起４と小突起５を形成してあるので、床面となる突部３の上面においても排水性、乾燥性、防汚性が良くなり、また突部３の上面に多数形成した大突起４が滑り止めとなって滑り止め性が得られ、使用者が足を滑らせて転倒するのを防止することができる。
【００１９】
以下、実施例に基づいて説明する。
＜実施例＞
床パン１の材質は鏡面での水の接触角が７９度〜８３度のＦＲＰとし、この床パン１の表面の略全部に溝幅ａ＝１．５ｍｍ、溝深さｂ＝０．６ｍｍとした排水溝２を図１に示すように平面視格子状に形成し、この時の排水溝２間に形成される突部３のサイズを幅ｃ＝１０ｍｍ、長さｄ＝５０ｍｍの平面視長方形状とした。またエッチング処理により金型の表面に縦横の平均サイズを５０μｍとした大突起４を成形するための大凹所を形成し、また金型の表面に番手♯３０のサンドブラストを施した後に番手♯６０のサンドブラストを施して小突起５を形成した。これにより排水溝２間の各突部３の上面、及び各排水溝２の底面及び両側面の夫々に、凹凸の平均間隔Ｓｍが５０乃至７００μｍの範囲内で且つ十点平均粗さＲｚが２０乃至６０μｍの範囲内の大突起４を形成すると共に、この大突起４の表面に、該表面の５μｍ四方の測定範囲の任意の１０箇所をレーザー顕微鏡で横縦（Ｘ−Ｙ）方向の分解能を０．０４４μｍ及び高さ（Ｚ）方向の分解能を０．０１μｍに設定して測定した時に測定箇所の平面視の面積に対する表面積の比が１．２以上２．０以下の範囲内の小突起５を形成した。なお、凹凸の平均間隔Ｓｍおよび十点平均粗さＲｚの計測は例えばミツトヨ（株）製「サーフテスト３０１」等の表面粗さ計にて行い、表面積の比Ｒの計測は例えばキーエンス（株）製「ＶＫ−９５００」等のレーザー顕微鏡を用いるが、特に限定されない。
【００２０】
上記本実施例の床パン１は、各排水溝２の内面及び排水溝２間の突部３において、排水性及び乾燥性、防汚性の全てが良好なものとなった。
【００２１】
なお上記では排水溝２間の各突部３の上面、及び各排水溝２の内面に大突起及び小突起を形成したが、各排水溝２の内面にのみ大突起及び小突起を形成しても良い。また大突起及び小突起は各排水溝２の底面及び両側面に形成したが、各排水溝の底面にのみ又は側面にのみ大突起及び小突起を形成しても良いものとする。
【図面の簡単な説明】
【００２２】
【図１】本発明の床パンの平面図である。
【図２】同上の床パンの断面図である。
【図３】同上の大突起及び小突起の形状を示す断面図である。
【符号の説明】
【００２３】
１  床パン
２  排水溝
３  突部
４  大突起
５  小突起
【図１】
2008106554.tif 000003
【図２】
2008106554.tif 000004
【図３】
2008106554.tif 000005